(57)【要約】【課題】  メモリ容量を大幅に削減するとともにメモリの使用最適化を図る。【解決手段】  ヒストグラム計測結果を格納する第１のメモリ部とＯＳＤの色変換ＬＵＴ用の第２のメモリ部とを共有化して単一のメモリ部５で構成するとともに、このメモリ部５のメモリ領域をユーザーの使用状況に応じて設定するメモリ領域境界アドレス制御回路部７を設け、メモリ使用境界部９を可変に制御する。【選択図】  図１
2006148426.tif 000002
【特許請求の範囲】
【請求項１】
光学系から入力された撮像データを、撮像信号処理系でデジタル信号処理してデジタル出力するように構成された撮像装置であって、
前記デジタル信号処理された映像デジタル信号の輝度信号又は色信号の分布状況を示すヒストグラムを計測するヒストグラム計測部と、
前記ヒストグラム計測結果を格納する第１のメモリ部と、
前記撮像データの撮像画像上に各種メニューを示す画像を重畳するためのオンスクリーンディスプレイ用の色変換テーブルを格納する第２のメモリ部とを備え、
前記第１のメモリ部と前記第２のメモリ部とが単一のメモリ部で構成されていることを特徴とする撮像装置。
【請求項２】
請求項１に記載された撮像装置において、
前記単一メモリ部における前記第１のメモリ部のメモリ領域と前記第２のメモリ部のメモリ領域との境界であるメモリ領域境界アドレスを可変制御するメモリ領域境界アドレス制御回路部をさらに備えたことを特徴とする撮像装置。
【請求項３】
請求項２に記載された撮像装置において、
前記メモリ領域境界アドレス制御回路部は、ユーザーが前記ヒストグラム計測を使用しない場合に、前記単一メモリ部のメモリ領域全体を前記第２のメモリ部として使用可能に設定するように構成されていることを特徴とする撮像装置。
【請求項４】
請求項２に記載された撮像装置において、
前記メモリ領域境界アドレス制御回路部は、ユーザーの操作に基づいて前記メモリ領域境界アドレスを設定するように構成されていることを特徴とする撮像装置。
【請求項５】
請求項４に記載された撮像装置において、
前記メモリ領域境界アドレス制御回路部は、前記ヒストグラムの計測時における量子化階調度と前記オンスクリーンディスプレイの表現色数とに基づいて前記メモリ領域境界アドレスを設定するように構成されていることを特徴とする撮像装置。
【請求項６】
請求項４に記載された撮像装置において、
前記メモリ領域境界アドレス制御回路部は、前記ヒストグラムの計測時における量子化階調範囲と前記オンスクリーンディスプレイの表現色数とに基づいて前記メモリ領域境界アドレスを設定するように構成されていることを特徴とする撮像装置。
【請求項７】
請求項１又は２に記載された撮像装置において、
前記単一メモリ部はＳＲＡＭであることを特徴とする撮像装置。
【発明の詳細な説明】
【技術分野】
【０００１】
本発明は、デジタル撮像装置に関し、特にモニター画像の輝度又は色信号の分布状況を示すヒストグラム及びオンスクリーンディスプレイ（以下、ＯＳＤという）の色変換ルックアップテーブル（以下、ＬＵＴという）について、両機能を実現するためのメモリ部及びメモリ制御部に関するものである。
【背景技術】
【０００２】
従来のデジタル撮像装置において、モニター画像の輝度や色信号の分布状況を示すヒストグラムは、デジタル信号処理されたデジタル映像信号をヒストグラム計算回路を用いて分布状況が計測され、表示用メモリにカウントデータを書き込むことで、棒グラフや折れ線グラフとして液晶表示装置やＴＶモニター等に表示している（例えば、特許文献１参照）。
【０００３】
また、ＯＳＤの色変換テーブルについては、撮像した画像上に、各種メニューや撮影状況、バッテリー状態等を示すマークのＯＳＤデータを色変換ＬＵＴを用いて輝度信号及び色差信号に変換し、デジタル映像信号に重畳して液晶表示やＴＶモニターに表示している（例えば、特許文献２参照）。
【特許文献１】特開平７−３８８０１号公報
【特許文献２】特開２００４−１１８０１８号公報
【発明の開示】
【発明が解決しようとする課題】
【０００４】
しかし、従来の技術では、前記ヒストグラム計測結果を格納するメモリと前記ＯＳＤの色変換テーブル用のメモリとはそれぞれ別個に構成されていたため、メモリ容量が大きくなるという問題があった。
【０００５】
本発明は、かかる点に鑑みてなされたものであり、その目的とするところは、メモリ容量を大幅に削減するとともにメモリの使用最適化を図ることにある。
【課題を解決するための手段】
【０００６】
前記目的を達成するため、本発明では、前記ヒストグラム計測結果を格納するメモリと前記ＯＳＤの色変換ＬＵＴ用メモリとを共有化し、単一メモリのアクセスアドレス制御を行うようにした。さらに、前記アドレス制御において、ユーザーの使用状況に応じて前記メモリの境界アドレスを可変に制御するようにした。
【０００７】
すなわち、請求項１の発明は、光学系から入力された撮像データを、撮像信号処理系でデジタル信号処理してデジタル出力するように構成された撮像装置であって、
前記デジタル信号処理された映像デジタル信号の輝度信号又は色信号の分布状況を示すヒストグラムを計測するヒストグラム計測部と、
前記ヒストグラム計測結果を格納する第１のメモリ部と、
前記撮像データの撮像画像上に各種メニューを示す画像を重畳するためのオンスクリーンディスプレイ用の色変換テーブルを格納する第２のメモリ部とを備え、
前記第１のメモリ部と前記第２のメモリ部とが単一のメモリ部で構成されていることを特徴とする。
【０００８】
請求項２の発明は、請求項１に記載された撮像装置において、
前記単一メモリ部における前記第１のメモリ部のメモリ領域と前記第２のメモリ部のメモリ領域との境界であるメモリ領域境界アドレスを可変制御するメモリ領域境界アドレス制御回路部をさらに備えたことを特徴とする。
【０００９】
請求項３の発明は、請求項２に記載された撮像装置において、
前記メモリ領域境界アドレス制御回路部は、ユーザーが前記ヒストグラム計測を使用しない場合に、前記単一メモリ部のメモリ領域全体を前記第２のメモリ部として使用可能に設定するように構成されていることを特徴とする。
【００１０】
請求項４の発明は、請求項２に記載された撮像装置において、
前記メモリ領域境界アドレス制御回路部は、ユーザーの操作に基づいて前記メモリ領域境界アドレスを設定するように構成されていることを特徴とする。
【００１１】
請求項５の発明は、請求項４に記載された撮像装置において、
前記メモリ領域境界アドレス制御回路部は、前記ヒストグラムの計測時における量子化階調度と前記オンスクリーンディスプレイの表現色数とに基づいて前記メモリ領域境界アドレスを設定するように構成されていることを特徴とする。
【００１２】
請求項６の発明は、請求項４に記載された撮像装置において、
前記メモリ領域境界アドレス制御回路部は、前記ヒストグラムの計測時における量子化階調範囲と前記オンスクリーンディスプレイの表現色数とに基づいて前記メモリ領域境界アドレスを設定するように構成されていることを特徴とする。
【００１３】
請求項７の発明は、請求項１又は２に記載された撮像装置において、
前記単一メモリ部はＳＲＡＭであることを特徴とする。
【発明の効果】
【００１４】
以上説明したように、本発明によれば、前記ヒストグラム計測結果を格納する第１のメモリ部と、前記オンスクリーンディスプレイ色変換テーブル用の第２のメモリ部とが単一のメモリ部で構成されているため、メモリ容量の大幅な削減が可能となる。その結果としてＬＳＩチップ面積の縮小化及びシステムの軽量縮小化を実現することができる。
【発明を実施するための最良の形態】
【００１５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１６】
図１は、本発明の実施形態に係るデジタル撮像装置の構成を示すブロック図である。図１において、１は光学レンズ１ａと撮像素子１ｂとを備えた光学系である。この光学系１を通じて出力された撮像データは、撮像信号処理系２でデジタル信号処理されて表示系３及びメモリ部５に出力される。
【００１７】
前記表示系３は、デジタル処理された信号を撮像画像及びモニター画像として液晶表示装置４に出力する一方、デジタル撮像装置の外部にＴＶ信号及びビデオ信号として出力するものである。さらに、この表示系３は、メモリ領域境界アドレス制御回路部７を介して前記メモリ部５にアクセス可能になっている。
【００１８】
前記メモリ部５は、前記液晶表示装置４に出力すべき撮像画像及びモニター画像の輝度信号又は色信号の分布状況を示すヒストグラムを計測するヒストグラム計測部（図示せず）によるヒストグラム計測結果を格納する第１のメモリ領域と、前記撮像信号処理系２から入力された撮像データの撮像画像上に重畳するための各種メニューやアイコン等のＯＳＤ用の色変換テーブルを格納する第２のメモリ領域とを備えている。なお、本実施形態では、メモリ部５をＳＲＡＭで構成しているが、これに限定するものではない。
【００１９】
このように、前記メモリ部５は、前記ヒストグラム計測結果格納と前記ＯＳＤ用ＬＵＴという機能及び用途の異なるメモリ部を共有化している。
【００２０】
前記メモリ領域境界アドレス制御回路部７は、前記メモリ部５のアクセスアドレスを制御するものであり、具体的に、前記メモリ部５に接続されたマイコン６にユーザーが設定を入力すると、このメモリ部５における前記ヒストグラムの格納に利用される第１のメモリ領域と前記ＯＳＤのＬＵＴ用途に利用される第２のメモリ領域との境界であるメモリ使用境界部９のアドレスが可変制御されるようになっている。
【００２１】
次に、メモリ領域境界アドレスの制御方法について説明する。通常、ユーザーがマイコン６にメモリ使用境界部９のアドレスを設定することでメモリ容量が設定されるのであるが、ユーザーがヒストグラム計測を使用していない場合には、前記メモリ部５のメモリ領域全体を前記ＯＳＤのカラーパレットとして使用するように制御する。
【００２２】
具体的に、図１に示す例では、前記メモリ部５のＳＲＡＭアドレス８が“１２７”となるようにメモリ使用境界部９を設定し、ＳＲＡＭアドレス０〜１２７をＯＳＤのカラーパレットとして使用する。
【００２３】
次に、前記メモリ部５のメモリ領域を２つに分割して一方をヒストグラムの計測結果を格納する第１のメモリ領域として使用し、他方をＯＳＤのカラーパレットを格納する第２のメモリ領域として使用する例を図２に示す。
【００２４】
図２に示す例では、前記メモリ部５におけるＳＲＡＭアドレス０〜１２７までのメモリ領域をヒストグラムの計測結果を格納するために用い、ＳＲＡＭアドレス１２８〜２５５までのメモリ領域をＯＳＤのカラーパレットＬＵＴ用として用いている。
【００２５】
なお、このときのメモリ使用境界部９のアドレスは“１２７”であるが、このアドレスはユーザーの使用状況に応じて前記メモリ領域境界アドレス制御部７で可変制御される。
【００２６】
図３は、ヒストグラムの計測時の量子化階調度とＯＳＤの表現色数とに基づいてメモリ部におけるメモリ使用境界部９のアドレスを設定した例を示す説明図である。
【００２７】
図３に示すように、ヒストグラムの計測量子化階調が多いときには、メモリ部５のメモリ領域をヒストグラム計測結果を格納する第１のメモリ領域が大半を占めるようにメモリ使用境界部のアドレスを可変制御し、逆にヒストグラムの計測量子化階調が小さいときには、ＯＳＤのカラー数を増やすためにＯＳＤのカラーパレットとして使用する第２のメモリ領域を増加させるようにメモリ使用境界部９のアドレスを可変制御するようにしている。
【００２８】
これらの操作は、ユーザーが任意に設定及び操作することが可能であり、具体的に、ユーザーがマイコン６で設定することにより、メモリ領域境界アドレス制御部７がメモリ部５のメモリ使用境界部９のアドレスを可変制御する。
【００２９】
図４は、ヒストグラムの計測時の量子化範囲とＯＳＤの表現色数とに基づいてメモリ部のメモリ使用境界部のアドレスを設定した例を示す説明図である。
【００３０】
図４に示すように、ヒストグラムの計測量子化範囲が多いときには、メモリ部５のメモリ領域をヒストグラム計測結果を格納する第１のメモリ領域が大半を占めるようにメモリ使用境界部９のアドレスを可変制御し、逆にヒストグラムの計測量子化範囲が小さいときには、ＯＳＤのカラー数を増やすためにＯＳＤのカラーパレットとして使用する第２のメモリ領域を増加させるようにメモリ使用境界部９のアドレスを可変制御するようにしている。
【００３１】
これらの操作は、図３の例で説明した場合と同様に、ユーザーが任意に設定及び操作することが可能である。
【産業上の利用可能性】
【００３２】
本発明に係るデジタル撮像装置は、撮像画像やモニター画像の輝度又は色信号の分布状況を示すヒストグラムの計測結果を格納するメモリ部とＯＳＤの色変換テーブル用のメモリ部とを共有化し、この共通メモリの使用領域をユーザーの使用状況に従って可変に制御するメモリ領域境界アドレス制御回路部を有し、前記メモリ容量を大幅に削減できるため、デジタルスチルカメラ、デジタルビデオカメラ、及びカメラ機能付携帯電話等として有用で利用可能性が高い。
【図面の簡単な説明】
【００３３】
【図１】本発明の実施形態に係る撮像装置の構造を示すブロック図である。
【図２】本実施形態に係る撮像装置のＳＲＡＭメモリ部とその使用例である。
【図３】本実施形態に係る撮像装置のＳＲＡＭメモリ部とその使用例である。
【図４】本実施形態に係る撮像装置のＳＲＡＭメモリ部とその使用例である。
【符号の説明】
【００３４】
１    光学系
２    画像処理系
３    表示系
４    液晶表示部
５    メモリ部
６    マイコン
７    アドレス制御部
８    ＳＲＡＭアドレス
９    使用境界部
【図１】
2006148426.tif 000003
【図２】
2006148426.tif 000004
【図３】
2006148426.tif 000005
【図４】
2006148426.tif 000006